(57)【要約】【課題】より多くの種類の異常をＰＷＭ信号により通知できる「バックライトの異常検出装置および異常検出システム」を提供する。【解決手段】異常検出部１５は、異常が検出されたときに、検出した異常の種類に応じたデューティを有するＰＷＭ信号である異常通知パルスを発生してマイコン２０に通知する前に、基準のデューティを有するＰＷＭ信号である基準パルスを発生してマイコン２０に通知することにより、バックライト駆動回路１０で使用している各種部品の個体差による特性のバラツキや周囲温度の変化などにより、ＰＷＭ信号の周期に基準値からの変動が生じていても、基準パルスの周期と異常通知パルスのオフ期間の長さとから異常通知パルスのデューティを正確に判定し、当該異常通知パルスのデューティから異常の種類を間違いなく特定することをできるようにする。【選択図】図２
2015076363.tif 000002
【特許請求の範囲】
【請求項１】
発光ダイオードを光源とするバックライトで生じた異常をバックライト駆動回路で検出してＰＷＭ信号によりコントローラに通知するバックライトの異常検出装置であって、
上記異常が検出されたときに、異常の種類に応じたデューティを有するＰＷＭ信号である異常通知パルスを発生して上記コントローラに通知するとともに、上記異常通知パルスを発生する前に、基準のデューティを有するＰＷＭ信号である基準パルスを発生して上記コントローラに通知する異常検出部を備えたことを特徴とするバックライトの異常検出装置。
【請求項２】
上記異常検出部は、上記異常の状態が所定時間以上継続した場合に上記異常の検出を確定させるようになされ、
上記異常検出部は、上記異常が確定する前の異常検出期間中に上記基準パルスを発生して上記コントローラに通知し、上記異常が確定された後に上記異常通知パルスを発生して上記コントローラに通知することを特徴とする請求項１に記載のバックライトの異常検出装置。
【請求項３】
上記異常検出部は、上記異常の状態を検出すると、上記異常の状態が確定する時間を予測し、当該予測した時間に上記基準パルスの上記コントローラへの通知が完了するように上記基準パルスを上記コントローラに通知し、上記異常が確定されると同時に上記異常通知パルスを発生して上記コントローラに通知することを特徴とする請求項２に記載のバックライトの異常検出装置。
【請求項４】
発光ダイオードを光源とするバックライトを駆動するバックライト駆動回路と、上記バックライト駆動回路を制御するコントローラとを備え、上記バックライトで生じた異常を上記バックライト駆動回路で検出してＰＷＭ信号により上記コントローラに通知するバックライトの異常検出システムであって、
上記バックライト駆動回路は、
上記異常が検出されたときに、異常の種類に応じたデューティを有するＰＷＭ信号である異常通知パルスを発生して上記コントローラに通知するとともに、上記異常通知パルスを発生する前に、基準のデューティを有するＰＷＭ信号である基準パルスを発生して上記コントローラに通知する異常検出部を備え、
上記コントローラは、
上記バックライト駆動回路から通知された上記基準パルスの周期と、上記基準パルスの後に上記バックライト駆動回路から通知された上記異常通知パルスのオフ期間またはオン期間の何れか一方の長さとに基づいて、上記異常通知パルスのデューティを判定するデューティ判定部と、
上記デューティ判定部により判定された上記異常通知パルスのデューティに基づいて、上記バックライトで生じた異常の種類を特定する異常種特定部とを備えたことを特徴とするバックライトの異常検出システム。
【請求項５】
上記異常検出部は、上記異常の状態が所定時間以上継続した場合に上記異常の検出を確定させるようになされ、
上記異常検出部は、上記異常が確定する前の異常検出期間中に上記基準パルスを発生して上記コントローラに通知し、上記異常が確定された後に上記異常通知パルスを発生して上記コントローラに通知することを特徴とする請求項４に記載のバックライトの異常検出システム。
【請求項６】
上記異常検出部は、上記異常の状態を検出すると、上記異常の状態が確定する時間を予測し、当該予測した時間に上記基準パルスの上記コントローラへの通知が完了するように上記基準パルスを上記コントローラに通知し、上記異常が確定されると同時に上記異常通知パルスを発生して上記コントローラに通知することを特徴とする請求項５に記載のバックライトの異常検出システム。
【請求項７】
上記バックライト駆動回路の動作を停止させる必要がない種類の異常よりも、上記バックライト駆動回路の動作を停止させる必要がある種類の異常に対し、上記異常通知パルスのオフ期間またはオン期間の何れか一方の長さが短いデューティを設定したことを特徴とする請求項４〜６のいずれか１項に記載のバックライトの異常検出システム。
【発明の詳細な説明】
【技術分野】
【０００１】
本発明は、バックライトの異常検出装置および異常検出システムに関し、特に、発光ダイオード（ＬＥＤ）を光源とするバックライトで生じた異常をバックライト駆動回路で検出してＰＷＭ信号によりコントローラに通知する装置およびシステムに用いて好適なものである。
【背景技術】
【０００２】
従来、液晶ディスプレイのバックライトには冷陰極蛍光管（ＣＣＦＬ：Cold Cathode Fluorescent Lamp）が用いられてきた。これに対して最近では、水銀を使わない環境配慮型のバックライトとして、図６に示すように、複数のＬＥＤをマトリクス状に配置してなるＬＥＤマトリクス１００を光源に用いたものが提供されている。ＬＥＤを用いたバックライトにおいては、バックライト駆動回路２００において何らかの異常状態を検出してマイコン（ＭＣＵ）３００に通知する手法として、マイコン３００の汎用端子を用いた通知方式（ＧＰＩＯ：General Purpose Input/Output方式）が広く用いられている。
【０００３】
ＧＰＩＯ方式の場合、マイコン３００が標準的に備える端子（典型的には８個）のうち、２つのＦＡＩＬ端子を用いて異常状態の通知が行われる。２つのＦＡＩＬ端子であるから、通知できる内容は４パターンである。ただ、バックライト駆動回路２００が停止中か動作中かの通知に２パターンを使うため、異常状態に関して通知できる内容は２パターンに過ぎない。
【０００４】
そのため、ＧＰＩＯ方式の場合、バックライト駆動回路２００からマイコン３００に対して異常状態の有無は通知することができても、どんな異常が発生しているのかの詳細を通知することはできない。そのため、マイコン３００では、異常状態が通知されると、ＥＮＡＢＬＥ端子を用いてバックライト駆動回路２００の動作を遮断するように制御してしまう。その結果、発生した異常がたとえ軽微なものであっても、液晶ディスプレイの表示が全く見えなくなってしまうという問題があった。なお、異常状態の詳細を通知するには、ＦＡＩＬ端子の数を増やさなければならない。しかし、そうするとマイコン３００の端子数が増加し、形状の大型化が避けられない。
【０００５】
これに対し、異常状態の通知をＰＷＭ信号により行うようにした技術が提案されている（例えば、特許文献１参照）。この特許文献１に記載の駆動制御装置では、ドライバ回路部が検知した異常の種類に対応したＰＷＭデューティ信号を異常情報として上位コントローラへ送信するようにしている。このようなＰＷＭ方式によれば、マイコンの端子数を増やすことなく、異常の種類をバックライト駆動回路からマイコンに通知することが可能となる。
【先行技術文献】
【特許文献】
【０００６】
【特許文献１】特開２００７−８２３６０号公報
【発明の概要】
【発明が解決しようとする課題】
【０００７】
しかしながら、ＰＷＭ方式では、バックライト駆動回路で使用している各種部品の個体差による特性のバラツキや、バックライト駆動回路の周囲温度の変化などにより、オシレータにより発生される基準クロックに変動が生じてＰＷＭ信号の周期が変動してしまうことがある。一般的に、周期は基準値に対して±２０％程度の誤差が生じる可能性があるため、異常の種類に対応したデューティは、マイコンが公差と認められる範囲を考慮して約５％毎に設定しなければならない。この場合、バックライト駆動回路が停止中か動作中かの通知に使用する２パターンを除いて、異常状態に関して通知できる内容は１８パターンに過ぎない。
【０００８】
異常状態の詳細を通知する際には、過電流状態や過電圧状態といった回路全体に関する異常状態に加え、マトリクス状に配置されたＬＥＤのうち、どの列のどの行のＬＥＤがどういう状態（オープンまたはショート）で異常なのかという個々のＬＥＤに関する異常状態まで通知することが求められる。しかし、上記特許文献１に記載のＰＷＭ方式を用いたとしても、通知できる異常の種類は１８パターン程度であり、より多くの種類の異常を通知したいという要求に応えることができないという問題があった。
【０００９】
本発明は、このような問題を解決するために成されたものであり、バックライト駆動回路で検出した異常状態をＰＷＭ信号によりコントローラに通知する方式において、より多くの種類の異常を通知できるようにすることを目的とする。
【課題を解決するための手段】
【００１０】
上記した課題を解決するために、本発明では、バックライト駆動回路で異常が検出されたときに、検出した異常の種類に応じたデューティを有するＰＷＭ信号である異常通知パルスを発生してコントローラに通知するが、その異常通知パルスを発生する前に、基準のデューティを有するＰＷＭ信号である基準パルスを発生してコントローラに通知するようにしている。
【発明の効果】
【００１１】
上記のように構成した本発明によれば、バックライト駆動回路で発生した異常の種類を示す異常通知パルスをコントローラに通知する前に基準パルスが通知されるので、ＰＷＭ信号の周期に基準値からの誤差が生じていても、基準パルスの周期と異常通知パルスのオフ期間またはオン期間の何れか一方の長さとに基づいて異常通知パルスのデューティを正確に判定し、当該異常通知パルスのデューティから異常の種類を間違いなく特定することができる。これにより、異常通知パルスのデューティを５％より小さい単位の数％刻みで多数設定して、それぞれに対して異常の種類を割り当てることが可能となり、より多くの種類の異常を通知することができるようになる。
【図面の簡単な説明】
【００１２】
【図１】本実施形態によるバックライトの異常検出システムの全体構成例を示す図である。
【図２】本実施形態によるバックライト駆動回路およびマイコンの構成例を示す図である。
【図３】異常の種類とＰＷＭ信号のデューティとの関係の一例を示す図である。
【図４】バックライトで出力電流異常（過電流状態）が発生したときにおける動作例を示す図である。
【図５】バックライトで出力電圧異常（過電圧状態）が発生したときにおける動作例を示す図である。
【図６】ＬＥＤを用いた従来のバックライトの構成を示す図である。
【発明を実施するための形態】
【００１３】
以下、本発明の一実施形態を図面に基づいて説明する。図１は、本実施形態によるバックライトの異常検出システムの全体構成例を示す図である。図１に示すように、本実施形態によるバックライトの異常検出システムは、複数のＬＥＤをマトリクス状に配置してなるＬＥＤマトリクス１００を光源とするバックライトを駆動するバックライト駆動回路１０と、当該バックライト駆動回路１０を制御するマイコン（ＭＣＵ）２０とを備えて構成されている。
【００１４】
本実施形態の異常検出システムでは、バックライトで生じた異常をバックライト駆動回路１０で検出し、ＦＡＩＬ端子を用いてＰＷＭ信号によりマイコン２０に通知するように成されている。バックライト駆動回路１０は、バックライトの異常を検出するための異常検出装置を備えている。マイコン２０では、バックライト駆動回路１０から異常の発生が通知されると、その異常の種類に応じて必要なときは、ＥＮＡＢＬＥ端子を用いてバックライト駆動回路１０の動作を遮断するように制御する。
【００１５】
図２は、バックライト駆動回路１０およびマイコン２０の構成例を示す図である。図２に示すように、本実施形態のバックライト駆動回路１０は、駆動部５１およびドライバＩＣ５２を備えて構成されている。ドライバＩＣ５２は、内蔵電源１１、ＯＳＣ１２、定電流回路部１３、昇圧制御部１４および異常検出部１５を備えて構成されている。また、本実施形態のマイコン２０は、デューティ判定部２１、異常種特定部２２および制御部２３を備えて構成されている。
【００１６】
駆動部５１は、入力電圧Ｖinをそれより高い出力電圧Ｖoutに昇圧してＬＥＤマトリクス１００に印加する。この昇圧制御のために、昇圧制御部１４により発生されるＰＷＭ信号が用いられる。このＰＷＭ信号は、マイコン２０からＤｉｍｍｉｎｇ端子を通じて出力される信号に基づいて、調光率に応じた時間的割合でデューティを設定したものである（以下、調光パルスという）。
【００１７】
ドライバＩＣ５２の内蔵電源１１は、マイコン２０によりＥＮＡＢＬＥ端子がオンとされることによって起動し、ドライバＩＣ５２の内部の各ブロックに電源を供給する。ＯＳＣ１２は、ドライバＩＣ５２のＲＴ端子に接続された抵抗（図示せず）の値に応じて、所定周波数にて発振し、基準クロックを発生する。通常、この外付け抵抗値とＯＳＣ１２の特性のバラツキと温度特性により、発振周波数に±２０％程度の誤差が生じる可能性がある。ＯＳＣ１２により発生された基準クロックは、昇圧制御部１４および異常検出部１５に供給される。
【００１８】
定電流回路部１３は、ドライバＩＣ５２のＩＳＥＴ端子に接続された抵抗（図示せず）の値に応じて、定電流を設定する。また、定電流回路部１３は、マイコン２０からＤｉｍｍｉｎｇ端子を通じてＰＷＭ信号を入力する。このＤｉｍｍｉｎｇ−ＰＷＭ信号がＨｉのときＬＥＤは調光なしの１００％点灯、Ｌｏで０％点灯、つまり消灯となる。定電流回路部１３に供給されるＤｉｍｍｉｎｇ−ＰＷＭ信号がＨｉのとき、外付け抵抗値に応じて設定した定電流がＬＥＤマトリクス１００から流れ込むようにデューティを調整された調光パルスが昇圧制御部１４から駆動部５１に供給される。
【００１９】
例えば、ＬＥＤマトリクス１００を点灯させる場合、昇圧制御部１４は、ＯＳＣ１２より発生する固定周期の基準クロックを利用して、調光パルスがオンとなる期間中に駆動部５１の昇圧駆動用トランジスタ（図示せず）のＯＮ／ＯＦＦをＰＷＭ制御することにより、入力電圧Ｖinを所定の出力電圧Ｖoutに昇圧する。一方、ＬＥＤマトリクス１００を消灯させる場合、昇圧制御部１４の動作を停止させる。
【００２０】
異常検出部１５は、バックライトで生じた異常を検出する。検出する異常は、出力電流異常（過電流状態）、出力電圧異常（過電圧状態）、起動異常、デバイス温度異常、入力電圧異常（低電圧状態）、ＬＥＤマトリクス１００における個々のＬＥＤの故障（オープンまたはショート）などである。
【００２１】
異常検出部１５は、異常の状態が所定時間以上継続した場合に、異常の検出を確定させる。瞬間的な電圧上昇や電流上昇が生じたときにそれを異常の発生と誤検出してしまうことを防ぐためである。異常検出部１５では、異常を最初に検出してから確定させるまでの所定時間をあらかじめ設定している。この所定時間は、ドライバＩＣ５２で固定されていてもよいし、外部から調整可能にしてもよい。
【００２２】
なお、過電流状態の検出は、駆動部５１の入力側に接続した抵抗Ｒ0を用いて行う。すなわち、異常検出部１５が内部に備える過電流検出部（図示せず）は、この入力抵抗Ｒ0の両端電圧差を監視する。そして、過電流検出部は、監視した両端電圧差が所定の閾値より大きくなったときに、出力電流異常（過電流状態）が発生したことを検出する。
【００２３】
また、過電圧状態の検出は、駆動部５１の出力側に接続した分圧抵抗Ｒ1，Ｒ2を用いて行う。すなわち、異常検出部１５が内部に備える過電圧検出部（図示せず）は、分圧抵抗Ｒ1，Ｒ2を介して過電圧検出部にフィードバックされる出力電圧Ｖoutの分圧値を監視する。そして、過電圧検出部は、その分圧電圧が所定の閾値より大きくなったときに、出力電圧異常（過電圧状態）が発生したことを検出する。
【００２４】
その他、起動異常、デバイス温度異常、入力電圧異常（低電圧状態）、各ＬＥＤの故障（オープンまたはショート）の具体的な検出方法については本発明の主題でないので詳細な説明を割愛するが、何れも公知の手法を適用することが可能である。
【００２５】
異常検出部１５は、異常の検出が確定されたときに、マイコン２０のＦＡＩＬ端子を通じて、異常の種類に応じたデューティを有するＰＷＭ信号（以下、異常通知パルスという）を発生してマイコン２０に通知する。また、異常検出部１５は、異常通知パルスを発生する前に、ＦＡＩＬ端子を通じて、基準のデューティ（例えば、５０％のデューティ）を有するＰＷＭ信号（以下、基準パルスという）を発生してマイコン２０に通知する。
【００２６】
図３は、異常の種類とＰＷＭ信号のデューティとの関係の一例を示す図である。図３の例では、ＰＷＭ信号のオフ期間のデューティ（オフデューティという）を３％刻みで示している。また、それぞれのオフデューティの値に対して異常の種類が対応付けられている。ただし、最小値である０％と最大値である１００％はそれぞれバックライト駆動回路１０が停止中か動作中かを示すのに用いられる。また、５０％のオフデューティは基準パルスのデューティに対応する。それ以外のオフデューティの値が、３０パターンの異常の種類を示すのに用いられる。
【００２７】
マイコン２０のデューティ判定部２１は、バックライト駆動回路１０の異常検出部１５からＦＡＩＬ端子を通じて通知された基準パルスの周期と、基準パルスの後に異常検出部１５からＦＡＩＬ端子を通じて通知された異常通知パルスのオフ期間またはオン期間の何れか一方の長さとに基づいて、異常通知パルスのデューティを判定する。本実施形態では、基準パルスの周期と異常通知パルスのオフ期間の長さとを用いて、異常通知パルスのオフデューティを判定する。例えば、基準パルスの周期が１０ｍｓｅｃで、異常通知パルスのオフ期間の長さが０．５ｍｓｅｃであった場合、デューティ判定部２１は、異常通知パルスのオフデューティが５％であると判定する。
【００２８】
なお、バックライト駆動回路１０で使用している各種部品の個体差による特性のバラツキや、バックライト駆動回路１０の周囲温度の変化などにより、ＯＳＣ１２により発生される基準クロックの周波数に変動が生じ、異常通知パルスのオフ期間の長さが０．６ｍｓｅｃ（２０％の誤差）であったとする。この場合でも、異常通知パルスの前に通知される基準パルスの周期にも２０％の誤差が生じていて１２ｍｓｅｃとなっているので、デューティ判定部２１は、異常通知パルスのオフデューティが５％であると判定することができる。
【００２９】
異常種特定部２２は、デューティ判定部２１により判定された異常通知パルスのオフデューティに基づいて、バックライトで生じた異常の種類を特定する。例えば、異常種特定部２２は、図３に示したようなテーブル情報を記憶していて、デューティ判定部２１により判定された異常通知パルスのオフデューティに基づいてテーブル情報を参照することにより、そのオフデューティに関連付けられた異常の種類を特定する。
【００３０】
制御部２３は、異常種特定部２２により特定された異常の種類に応じて、ＥＮＡＢＬＥ端子を用いてバックライト駆動回路１０に制御信号を送信することにより、バックライト駆動回路１０の動作を制御する。例えば、出力電流異常（過電流状態）、出力電圧異常（過電圧状態）、起動異常、デバイス温度異常、入力電圧異常（低電圧状態）といった重大な異常が異常種特定部２２により特定された場合、制御部２３は、ＥＮＡＢＬＥ端子を用いてドライバＩＣ５２の内蔵電源１１をオフとすることにより、バックライト駆動回路１０の動作を遮断するように制御する。
【００３１】
これに対し、ＬＥＤマトリクス１００における個々のＬＥＤが故障（オープンまたはショート）しているといった軽微な異常が異常種特定部２２により特定された場合、制御部２３は、バックライト駆動回路１０の動作を遮断することはせず、ＬＥＤの点灯を継続させる。ディスプレイ上の一部が暗くなるものの、バックライトやシステムに深刻なダメージを与えるような異常ではないからである。
【００３２】
図４は、バックライトで異常が発生したときにおける異常検出システムの動作例を示す図である。なお、この図４は、出力電流異常（過電流状態）が発生したときの動作例を示している。
【００３３】
例えば、バックライト駆動回路１０の出力が短絡するといった異常が発生すると、図４（ａ）に示すように、入力抵抗Ｒ0に流れる電流が時間と共に増加していく。異常検出部１５は、入力電流の上昇という異常の状態が所定時間以上継続した場合に、過電流状態の異常検出を確定させる。すなわち、図４（ｃ）に示すように、異常検出の回数を示す異常検出カウンタの値が所定回に達したときに、異常検出部１５は過電流状態の異常検出を確定させる。
【００３４】
異常検出部１５は、図４（ｄ）に示すように、異常が確定する前の異常検出期間中に基準パルスを発生し、マイコン２０に通知する。また、異常検出部１５は、異常が確定された後に異常通知パルスを発生し、マイコン２０に通知する。なお、基準パルスの固定デューティ（５０％）に基づくオン期間とオフ期間の長さの調整や、異常通知パルスの異常種類に応じた可変デューティに基づくオン期間とオフ期間の長さの調整は、異常検出部１５のカウンタ回路（図示しない）に基づいて行われる。
【００３５】
本実施形態では、異常検出部１５は、最初に異常の状態を検出したときに、異常の状態が確定する時間を予測し、当該予測した時間に基準パルスのマイコン２０への通知が完了するように基準パルスをマイコン２０に通知する。そして、異常が確定されると同時に異常通知パルスを発生してマイコン２０に通知するようにしている。
【００３６】
基準パルスおよび異常通知パルスの通知を受けたマイコン２０では、基準パルスの周期と異常通知パルスのオフ期間の長さとに基づいて異常通知パルスのオフデューティをデューティ判定部２１により判定し、そのオフデューティに基づいて異常の種類を異常種特定部２２により特定する。そして、制御部２３は、以上のようにして特定された異常の種類に応じて、ＥＮＡＢＬＥ端子を用いてバックライト駆動回路１０の動作を遮断するように制御する。
【００３７】
すなわち、バックライト駆動回路１０の動作を遮断する場合、制御部２３は、図４（ｅ）の実線に示すように、ＥＮＡＢＬＥ端子から出力する制御信号をＨｉからＬｏに切り替える。なお、異常の種類がＬＥＤの故障（オープンまたはショート）であり、バックライト駆動回路１０の動作を遮断しない場合、制御部２３は、図４（ｅ）の点線に示すように、ＥＮＡＢＬＥ端子から出力する制御信号をＨｉのまま維持する。
【００３８】
ここで、異常通知パルスのオフ期間が終了するタイミングで異常の種類が異常種特定部２２により特定されるので、制御部２３はそのタイミングで直ちにバックライト駆動回路１０を制御することが可能である。しかも、本実施形態では、異常検出部１５により異常の検出が確定される前の異常検出期間中に、バックライト駆動回路１０からマイコン２０に基準パルスが既に通知されている。そのため、異常検出部１５により異常が確定されてから制御部２３がバックライト駆動回路１０を制御するまでの時間が異常通知パルスのオフ期間の長さだけで済み、非常に短時間のうちに制御を行うことができる。
【００３９】
また、本実施形態では、図３に示したように、バックライト駆動回路１０の動作を停止させる必要がない種類の異常よりも、バックライト駆動回路１０の動作を停止させる必要がある種類の異常に対し、異常通知パルスのオフ期間の長さが短いデューティを設定している。これにより、異常が確定されてからマイコン２０がバックライト駆動回路１０の動作を遮断するまでの時間をできるだけ短くすることができる。
【００４０】
図５は、バックライトで異常が発生したときにおける異常検出システムの他の動作例を示す図である。なお、この図５は、出力電圧異常（過電圧状態）が発生したときの動作例を示している。図５（ａ）に示すように、何らかの異常によって出力電圧Ｖoutが時間と共に増加し、その状態が所定時間以上継続した場合に、異常検出部１５は、過電圧状態の異常検出を確定させる。
【００４１】
異常検出部１５は、図５（ｄ）に示すように、異常が確定する前の異常検出期間中に基準パルスを発生し、マイコン２０に通知する。また、異常検出部１５は、異常検出部１５により異常が確定された後に異常通知パルスを発生し、マイコン２０に通知する。この場合も、異常検出部１５は、異常の状態が確定する時間を予測し、当該予測した時間に基準パルスのマイコン２０への通知が完了するように基準パルスをマイコン２０に通知する。そして、異常が確定されると同時に異常通知パルスを発生してマイコン２０に通知する。
【００４２】
基準パルスおよび異常通知パルスの通知を受けたマイコン２０では、基準パルスの周期と異常通知パルスのオフ期間の長さとに基づいて異常通知パルスのオフデューティをデューティ判定部２１により判定し、そのオフデューティに基づいて異常の種類を異常種特定部２２により特定する。そして、制御部２３は、以上のようにして特定された異常の種類に応じて、図５（ｅ）に示すように、ＥＮＡＢＬＥ端子を用いてバックライト駆動回路１０の動作を必要に応じて遮断するように制御する。
【００４３】
以上詳しく説明したように、本実施形態では、バックライト駆動回路１０の異常検出部１５で異常が検出されたときに、検出した異常の種類に応じたデューティを有するＰＷＭ信号である異常通知パルスを発生してマイコン２０に通知するが、その異常通知パルスを発生する前に、基準のデューティを有するＰＷＭ信号である基準パルスを発生してマイコン２０に通知するようにしている。
【００４４】
このように構成した本実施形態によれば、バックライト駆動回路１０で発生した異常の種類を示す異常通知パルスをマイコン２０に通知する前に基準パルスが通知されるので、バックライト駆動回路１０で使用している各種部品の個体差による特性のバラツキや、バックライト駆動回路１０の周囲温度の変化などにより、異常検出部１５から出力されるＰＷＭ信号の周期に基準値からの変動が生じていても、基準パルスの周期と異常通知パルスのオフ期間の長さとから異常通知パルスのオフデューティを正確に判定し、当該異常通知パルスのオフデューティから異常の種類を間違いなく特定することができる。これにより、異常通知パルスのデューティを５％より小さい単位の数％刻みで多数設定して、それぞれに対して異常の種類を割り当てることが可能となり、より多くの種類の異常を通知することができるようになる。
【００４５】
なお、上記実施形態では、基準パルスのデューティを５０％に設定する例について説明したが、本発明はこれに限定されない。基準パルスはＦＡＩＬ端子を通じてＰＷＭ信号の周期をマイコン２０に伝えることが目的なので、基準パルスのデューティは任意に設定することが可能である。
【００４６】
また、上記実施形態では、異常が確定される前の異常検出期間中に基準パルスをマイコン２０に通知する例について説明したが、本発明はこれに限定されない。例えば、異常が確定された直後に基準パルスをマイコン２０に通知するようにしてもよい。このようにしても、異常通知パルスのデューティを５％より小さい単位の数％刻みで多数設定して、より多くの種類の異常を通知することができるという効果は得られる。ただし、より早く基準パルスを通知して短時間のうちにバックライト駆動回路１０を制御できるという点で、異常検出期間中に基準パルスをマイコン２０に通知するのが好ましい。
【００４７】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００４８】
１０  バックライト駆動回路
１５  異常検出部
２０  マイコン（コントローラ）
２１  デューティ判定部
２２  異常種特定部
２３  制御部
【図１】
2015076363.tif 000003
【図２】
2015076363.tif 000004
【図３】
2015076363.tif 000005
【図４】
2015076363.tif 000006
【図５】
2015076363.tif 000007
【図６】
2015076363.tif 000008